(57)【特許請求の範囲】
【請求項１】
杖に取付けられる固定具であって、
前記杖に固定される基部と、
前記杖に対して平行となる状態から、垂直な状態へと回動するように前記基部に取り付けられたアーム部と、
前記基部に配置され、前記杖に対して垂直な状態となった前記アーム部に吸着し、該アーム部の垂直状態を維持する吸着部と、
前記アーム部が前記杖に対して平行となる状態を維持するように、前記アーム部を下方へ向けて付勢するスプリングと
を有し、
前記アーム部の自由端側の先端は、上方に向けて湾曲された、Ｕ字型のカーブが形成されており、
前記吸着部および前記アーム部のうちの一方が磁石であり、他方が金属片であり、
前記基部には、前記杖を挟んで前記アーム部が配置された側と反対側の側部に、下方に向けて鍵状に突出した引掛部が形成され、
前記基部の上面には、前記杖を挟んで両側に当該杖の側面から所定距離だけ離隔した位置に上方に向けて突出した一対の突出部が形成されている
ことを特徴とする杖固定具。
【発明の詳細な説明】
【技術分野】
【０００１】
本考案は、杖を起立した状態で倒れない様に固定する固定具に関する。
【背景技術】
【０００２】
従来、杖を起立した状態で倒れないように固定することができる固定具として、例えば、特許文献１に開示されたものがある。この固定具は、杖に対する取り付け部と、この取り付け部に一方の端部を回動可能に軸支された固定板とから構成され、固定板は常にスプリングによって下方へ付勢され、通常は、杖に対して平行となる。そして、この固定具の使用時にあっては、固定板の先端を、机の縁などに上方から押しつけることにより、スプリングの付勢力に逆らって固定板を回動させて水平にし、この固定板により机を起立した状態とする。
【先行技術文献】
【特許文献】
【０００３】
【特許文献１】実用新案登録第３１３２８７９号公報
【発明の概要】
【発明が解決しようとする課題】
【０００４】
しかしながら、上述した特許文献１に開示された固定具では、使用の際、スプリングによる付勢力に逆らって固定板を押し拡げる構成であるため、机上面の摩擦状態によっては固定板が閉じてしまい、固定状態を維持することができない場合があった。
【０００５】
そこで、本発明は以上の点に鑑みてなされたもので、杖を固定するアーム部の水平状態を、簡単な操作により維持することができる固定具および杖固定具を提供することをその課題とする。
【課題を解決するための手段】
【０００６】
上記課題を解決するために、本発明は、杖に取り付けられる固定具であって、杖に固定される基部と、杖に対して平行となる状態から、垂直な状態へと回動するように基部に取り付けられたアーム部と、基部に配置され、杖に対して垂直な状態となったアーム部に吸着し、アーム部の垂直状態を維持する吸着部と、アーム部が杖に対して平行となる状態を維持するように、アーム部を下方へ向けて付勢するスプリングとを有し、アーム部の自由端側の先端は、上方に向けて湾曲された、Ｕ字型のカーブが形成されており、吸着部およびアーム部のうちの一方が磁石であり、他方が金属片であり、基部には、杖を挟んでアーム部が配置された側と反対側の側部に、下方に向けて鍵状に突出した引掛部が形成され、
基部の上面には、杖を挟んで両側に当該杖の側面から所定距離だけ離隔した位置に上方に向けて突出した一対の突出部が形成されていることを特徴とする。このような発明によれば、杖を固定する際、アーム部を回動させて水平（杖に対して垂直）にし、このアーム部により机を起立した状態とすることができる。このとき、吸着部がアーム部に吸着し、アーム部の水平状態を維持することができる。また、吸着部および前期アーム部のうちの一方が磁石であり、他方が金属片であるため、アーム部が杖に対して、垂直な状態（垂直状態）となった際に磁気力によって吸着部と吸着し、アーム部は、その垂直状態を維持することができる。
【発明の効果】
【０００９】
本発明によれば、杖を固定するアーム部の水平状態を、簡単な操作により維持することができ、杖を机の縁などに掛け置いて固定する際に、安定した起立状態とすることができる。
【図面の簡単な説明】
【００１０】
【図１】実施形態に係る杖固定具の構成を示す斜視図である。
【図２】実施形態に係る杖固定具の構成を示す斜視図である。
【図３】実施形態に係るアーム部の構成を示す斜視図である。
【図４】実施形態に係る杖固定具における係合状態を示す説明図である。
【発明を実施するための形態】
【００１１】
（杖固定具の構成）
本発明の実施形態について、図面を参照しつつ説明する。図１及び図２は、本実施形態に係る杖固定具の構成を示す斜視図である。同図に示すように、杖固定具１は、杖に取り付けられる固定具であって、杖に固定される基部１０を本体とし、この基部１０に補助部材４０が嵌合され、この補助部材４０にアーム部３０と、吸着部１２とが取り付けられて構成されている。
【００１２】
前記基部１０は、杖２に平行な平面内において、杖２に垂直な方向に幅を有する板部材であり、例えば、ラバー等の合成樹脂や、ステンレス等の金属で成型される。この基部１０の中央には、杖２の水平断面形状とほぼ合致する拡開部１１が形成されている。この拡開部１１は、基部１０の弾性力によりその内径が拡開されるとともに、この弾性力により杖２の外周面を締め付け、基部１０を杖２に固定するようになっている。
【００１３】
さらに、基部１０は、その側部に、下方に突出した引掛部１０ｂを有している。この引掛部１０ｂは、机の上面に引っ掛けることにより、アーム部３０を用いた固定方法とは別に、簡易的に杖２を起立させることができる。さらに、突出部１０ａは、例えば手すりやフックなどに引っ掛けることもできるように鍵状をなしている。
【００１４】
また、基部１０の上面には、杖２を挟んだ両側に、杖２の側面から所定距離だけ離隔した位置に一対の突出部１０ａが突出されている。この突出部１０ａは、例えば、鞄のストラップなどを杖に引っ掛ける際、鞄が滑り落ちるのを防止するものである。
【００１５】
また、杖２には、止め具１３が備えられている。止め具１３は、杖２に固定した基部１０の落下を防止するリング部材である。止め具１３は、リングのある一部分において杖２と水平方向に切り目を有しており、その切り目の両端側には、切り目に垂直な方向にリングを貫通する貫通孔を備えている。この貫通孔にネジ等が貫通され、このネジ等を締め付けることで、止め具１３が締め付けられ、止め具１３は杖２に固定される。
【００１６】
本実施形態において、この止め具１３は、杖２を締め付ける基部１０の内部に配置され、基部１０を支持するように止め具１３の上面部分が基部１０に嵌合する構成となっている。これにより、基部１０が杖２から滑り落ちるのを防止することができる。なお、止め具１３の取り付け場所は、本実施形態に限定されず、基部１０が杖２より滑り落ちることを防止できればよく、基部１０の取り付け位置の下部に設置しても良い。
【００１７】
補助部材４０は、基部１０側部の下方において、基部１０に嵌合された部材であり、例えば、ラバー等の合成樹脂や、ステンレス等の金属で成型されている。この補助部材４０には、アーム部３０と、吸着部１２とが取付けられており、この補助部材４０を基部１０に連結することにより、アーム部３０と、吸着部１２による機能が追加されることとなる。なお、この補助部材４０は、本実施形態では、基部１０とは別の部材で形成し、基部１０に取付ける構成としたが、基部１０と一体成形してもよい。
【００１８】
吸着部１２は、基部１０の下面に備えされ、吸着部１２は、杖２に対して垂直な状態となったアーム部３０に吸着し、アーム部３０の垂直状態を維持する吸着部材であり、本実施形態においては、この吸着部１２は、磁性を帯びて磁力を有する磁石等によって構成される。なお、吸着部１２は、本実施形態に限定されず、アーム部を吸着することができればよく、接着剤や接着テープ等であってもよい。
【００１９】
アーム部３０は、杖２に対して平行となる状態（閉止状態）から、垂直な状態（垂直状態）へと回動するように補助部材４０に取り付けられた板部材である。アーム部３０は、軸部３２を介して補助部材４０に連結され、この軸部３２を中心として自由に回動し、閉止止状態から垂直状態へと変化する。また、このアーム部３０は、スプリング３３により、通常時は閉止状態となるように下方へ向けて付勢され、杖２に平行な状態を維持するようになっている。
【００２０】
また、アーム部３０の下面は、粘着性のシート３４が貼り付けられており、机上面に掛け置いたときなどに、この粘着シート３４の粘性により、机正面に密着させることができる。さらに、アーム部３０の自由端側の先端は、上方に向けて湾曲されたカーブ３０ａが形成されている。このカーブ３０ａは、Ｕ字型に形成されており、アーム部３０が閉止状態である場合には、例えば、鞄のストラップなどを引っ掛けることができる。
【００２１】
さらに、図３に示すように、吸着部１２と吸着する吸着部分３０ｂは、アーム部３０の上面に形成され、吸着部１２に対応する鉄やマグネット等の金属片によって構成されている。これにより、アーム部３０が杖２に対して、垂直な状態（垂直状態）となった際に磁気力によって吸着部１２と吸着し、アーム部３０は、その垂直状態を維持することができる。
【００２２】
このような杖固定具によれば、杖２を固定する際、スプリング３３の付勢力に逆らってアーム部３０を回動させて水平（杖に対して垂直）にし、このアーム部３０を机等の上面に引っかけて、杖２を起立した状態とすることができる。
【００２３】
このとき、アーム部３０の先端にはカーブ３０ａが形成されていることから、閉止状態にあるアーム部３０を机正面などに押しつけることにより、カーブ３０ａの湾曲に従って、アーム部３０が押し拡げられ、水平状態とすることができる。これにより、片手などでワンタッチでアーム部３０を開くことができる。
【００２４】
このアーム部３０の回動に際しては、図４に示すように、アーム部３０が押し拡げられることにより、アーム部３０の下面と吸着部１２の上面とが接触する。この時、アーム部３０は、磁気力によって吸着部１２に吸着されることで、垂直状態を維持することとなる。一方、アーム部３０を閉止状態にする場合には、垂直状態のアーム部３０を単に上方より圧力を加えることで、スプリング３３の付勢力により吸着部１２との吸着が解消され、杖２と水平状態となる。
【００２５】
このように、本実施形態によれば、杖２を固定するアーム部３０の水平状態を、簡単な操作により維持することができ、杖２を机の縁などに掛け置いて固定する際に、安定した起立状態とすることができる。なお、本実施形態において、吸着部１２を磁石とし、アーム部の吸着部分３０ｂを金属片としたが、これらに限定されるものではなく、吸着部１２及びアーム部３０の吸着部分３０ｂのうちの一方が磁石であり、他方が金属片であればよく、吸着部１２を金属片とし、アーム部３０の吸着部分３０ｂを磁石とする構成としてもよい。
【符号の説明】
【００２６】
１…杖固定具
２…杖
１０…基部
１０ａ…突出部
１０ｂ…引掛部
１１…拡開部
１２…吸着部
１３…止め具
３０…アーム部
３０ａ…カーブ
３０ｂ…吸着部分
３２…軸部
３３…スプリング
３４…粘着シート
４０…補助部材
【図１】
0005464995.tif 000002
【図２】
0005464995.tif 000003
【図３】
0005464995.tif 000004
【図４】
0005464995.tif 000005